(57)【要約】      （修正有）【課題】めっきを施す工程を不要としながら優れた耐食性を有し、強度にも優れた二相ステンレス鋼を主部材に使用することで薄肉化を図り、優れた外観の太陽光発電システム用架台を提供する。【解決手段】太陽光発電システム用架台１を構成する部材には、鋼の組織にオーステナイト相とフェライト相の両相を持ち、高強度高耐食性の材料として知られているとともに、Ｎｉの含有量をオーステナイト系ステンレス鋼より抑えることでコスト性に優れる二相ステンレス鋼が用いられている。この二相ステンレス鋼としては、Ｎｉの含有量をさらに抑えるとともにＭｏを殆ど含有しない省資源二相型、好ましくはＮｉの含有量を５．０〜７．５％程度としＭｏの含有量を２．５〜３．５％程度とした汎用二相型、より好ましくはＮｉの含有量を５．０〜７．５％程度としＭｏの含有量を３．５〜４．５％程度とした高耐食二相型が採用できる。【選択図】図１
0003192068.tif 000002
【実用新案登録請求の範囲】
【請求項１】
太陽光発電システムが設置される、金属で構成される太陽光発電システム用架台において、
前記金属が、二相ステンレス鋼であることを特徴とする太陽光発電システム用架台。
【請求項２】
前記二相ステンレス鋼が質量％にて、
Ｃｒ：２３．０〜２４．０％
Ｎｉ：３．５〜４．５％
Ｍｏ：０．２〜０．４％
Ｎ  ：０．１〜０．２％
を含有していることを特徴とする請求項１に記載の太陽光発電システム用架台。
【請求項３】
前記二相ステンレス鋼が質量％にて、
Ｃｒ：２１．５〜２５．５％
Ｎｉ：５．０〜７．５％
Ｍｏ：２．５〜３．５％
Ｎ  ：０．１〜０．２％
を含有していることを特徴とする請求項１に記載の太陽光発電システム用架台。
【請求項４】
前記二相ステンレス鋼が質量％にて、
Ｃｒ：２４．５〜２５．５％
Ｎｉ：６．０〜７．５％
Ｍｏ：３．０〜４．５％
Ｎ  ：０．２４〜０．３２％
を含有していることを特徴とする請求項１に記載の太陽光発電システム用架台。
【考案の詳細な説明】
【技術分野】
【０００１】
本考案は、太陽光発電システムをその上部に設置させる、金属製の太陽光発電システム用架台に関する。
【背景技術】
【０００２】
従来、生産性の良い部材を用い、耐食性に対する信頼性が顕著に改善される太陽光発電モジュール設置用の架台を提供することを目的として、特開２０１１−２４９８４９号公報に、Ａｌ合金製のフレームを持つ太陽光発電モジュールを建築物に設置する架台において、金属製の支持部材が結合された構造を有し、その支持部材のうち鋼材からなる部材が所定の構成の溶融Ａｌ系めっき鋼板を加工してなる部材であって切断端面に鋼素地露出部を有する、太陽光発電モジュール設置用架台が開示されている。
【先行技術文献】
【特許文献】
【０００３】
【特許文献１】特開２０１１−２４９８４９号公報
【考案の概要】
【考案が解決しようとする課題】
【０００４】
しかし、特許文献１に開示されている太陽光発電モジュール設置用架台では、フレームに溶融Ａｌ系めっきを施す工程が必要となり、製造工程が複雑になってしまう恐れがあるという課題があった。また、フレームがＡｌ合金製であるため、軽量であるという利点があるものの、フレームの板厚が増大しやすいという課題もあった。
【０００５】
本考案は、上記の点に鑑みなされたもので、めっきを施す工程を不要としながら優れた耐食性を有し、製造工程の簡素化を図ることができるとともに、強度にも優れた二相ステンレス鋼を使用することで薄肉化を図り、優れた外観の太陽光発電システム用架台を提供することを目的とする。
【課題を解決するための手段】
【０００６】
本考案の太陽光発電システム用架台は、
太陽光発電システムが設置される、金属で構成される太陽光発電システム用架台において、
前記金属が、二相ステンレス鋼であることを特徴とする。
【０００７】
本考案の太陽光発電システム用架台によれば、架台の素材に二相ステンレス鋼を用いているため、耐食性に優れ、めっき工程が不要となる。また、強度に優れるため、一般オーステナイト系のステンレス鋼を使用した場合と比較して、架台の板厚を大幅に薄くすることができる。これにより、軽量化とコストダウンを図ることができ、さらに、美しく優れた外観とすることもできる。
【０００８】
本考案の太陽光発電システム用架台の好ましい例は、
前記二相ステンレス鋼が質量％にて、
Ｃｒ：２３．０〜２４．０％
Ｎｉ：３．５〜４．５％
Ｍｏ：０．２〜０．４％
Ｎ  ：０．１〜０．２％
を含有していることを特徴とする。
【０００９】
本考案の太陽光発電システム用架台の好ましい例によれば、Ｎｉの含有率を比較的高めながら、Ｍｏの含有率を低くしているため、耐食性に優れたものとしながら、鋼材の原材料費を抑えることができる。
【００１０】
本考案の太陽光発電システム用架台の好ましい例は、
前記二相ステンレス鋼が質量％にて、
Ｃｒ：２１．５〜２５．５％
Ｎｉ：５．０〜７．５％
Ｍｏ：２．５〜３．５％
Ｎ  ：０．１〜０．２％
を含有していることを特徴とする。
【００１１】
さらに、本考案の太陽光発電システム用架台の好ましい例は、
前記二相ステンレス鋼が質量％にて、
Ｃｒ：２４．５〜２５．５％
Ｎｉ：６．０〜７．５％
Ｍｏ：３．０〜４．５％
Ｎ  ：０．２４〜０．３２％
を含有していることを特徴とする。
【００１２】
これらの本考案の太陽光発電システム用架台の好ましい例によれば、ＮｉとＭｏの含有率を高めることで耐食性により優れたものとすることができ、沿岸部等の塩害が発生しやすい地域にも設置することができる。
【考案の効果】
【００１３】
以上説明したように、本考案の太陽光発電システム用架台によれば、めっきを施す工程を不要としながら優れた耐食性を有し、製造工程の簡素化を図ることができるとともに、強度にも優れた二相ステンレス鋼を主部材に使用することで薄肉化を図り、優れた外観の太陽光発電システム用架台を提供することができる。
【図面の簡単な説明】
【００１４】
【図１】本考案の一実施形態に係る太陽光発電システム用架台を示す図である。
【考案を実施するための形態】
【００１５】
以下、本考案の太陽光発電システム用架台の実施の形態について、添付図面を参照して詳細に説明する。図１は、本考案の好適な一実施形態に係る太陽光発電システム用架台１を示す図である。
【００１６】
図１に示すように、本実施形態の太陽光発電システム用架台１は、ベース１０と、前支柱１１と、後支柱１２と、主フレーム１３と、前横つなぎ材１４と、後横つなぎ材１５と、前斜材１６と、後斜材１７と、筋交１８とを備える。また、太陽光発電システム用架台１は、鉄筋コンクリート等で構成された基礎２０の上に設置される。
【００１７】
ベース１０は、略Ｌ字形の金具であり、その一の面が基礎２０の上面にボルト等で接合され、他の面が前支柱１１又は後支柱１２にボルト等で接合される。前支柱１１及び後支柱１２は、断面略Ｃ字形の溝形鋼からなり、その下端はベース１０で固定されている。そして、前支柱１１が後支柱１２より短く構成され、それぞれ略垂直に立設されている。主フレーム１３は溝形鋼からなり、その前後端近傍が、前支柱１１及び後支柱１２の上端にそれぞれボルト等で接合され、前支柱１１及び後支柱１２の長さに合わせて、主フレーム１３の前側が低く、後側が高くされ、前後方向に所定の角度で斜めに設けられる。そして、主フレーム１３の上に、太陽光発電システムを構成する太陽光電池パネル３０が設置される。
【００１８】
前横つなぎ材１４は、隣接する前支柱１１の間隔を一定に保つためのもので、山形鋼からなり、隣接する前支柱１１を連結するように、前支柱１１の上端近傍に横方向にボルト等で接合される。また、後横つなぎ材１５は、隣接する後支柱１２の間隔を一定に保つためのもので、山形鋼からなり、隣接する後支柱１２を連結するように、後支柱１２の上端近傍に横方向にボルト等で接合される。
【００１９】
前斜材１６は、前支柱１１と主フレーム１３とを接続する補強材で、山形鋼からなり、一の端部は、前支柱１１の下端近傍にボルト等で接合され、他の端部は、主フレーム１３に設けられた取付け板１９にボルト等で接合される。後斜材１７は、後支柱１２と主フレーム１３とを接続する補強材で、山形鋼からなり、一の端部は、後支柱１２の下端近傍にボルト等で接合され、他の端部は、主フレーム１３に設けられた取付け板１９にボルト等で接合される。筋交１８は、隣接する後支柱１２を接続する補強材で、山形鋼からなり、一の後支柱１２の上端近傍と、他の後支柱１２の下端近傍とにボルト等で接合される。
【００２０】
また、これらの太陽光発電システム用架台１を構成する部材には、鋼の組織にオーステナイト相とフェライト相の両相を持ち、高強度高耐食性の材料として知られているとともに、Ｎｉの含有量をオーステナイト系ステンレス鋼より抑えることでコスト性に優れる二相ステンレス鋼が用いられている。この二相ステンレス鋼としては、Ｎｉの含有量をさらに抑えるとともにＭｏを殆ど含有しない省資源二相型、好ましくはＮｉの含有量を５．０〜７．５％程度としＭｏの含有量を２．５〜３．５％程度とした汎用二相型、より好ましくはＮｉの含有量を５．０〜７．５％程度としＭｏの含有量を３．５〜４．５％程度とした高耐食二相型が採用できる。
【００２１】
省資源二相ステンレス鋼としては、例えば、ＡＳＴＭで規格化されているＳ３２１０１、Ｓ３２３０４等が採用される。中でも、質量％にてＣｒ：２３．０〜２４．０％、Ｎｉ：３．５〜４．５％、Ｍｏ：０．２〜０．４％、Ｎ：０．１〜０．２％を含有しているＳ３２３０４が耐食性に優れるために好適であり、比較的塩害にも耐えうる特徴を有している。
【００２２】
汎用二相ステンレス鋼としては、例えば、ＡＳＴＭで規格化されているＳ３１８０３、Ｓ３２２０５、ＪＩＳで規格化されているＳＵＳ３２９Ｊ４Ｌ等が採用される。これらの汎用二相ステンレス鋼の成分は、質量％にてＣｒ：２１．５〜２５．５％、Ｎｉ：５．０〜７．５％、Ｍｏ：２．５〜３．５％、Ｎ：０．１〜０．２％を含有しており、耐食性に優れ、特に沿岸部等の塩害に耐えられるようになっている。
【００２３】
高耐食二相ステンレス鋼としては、例えば、ＡＳＴＭで規格化されているＳ３２７５０等が採用される。この高耐食二相ステンレス鋼の成分は、質量％にてＣｒ：２４．５〜２５．５％、Ｎｉ：６．０〜７．５％、Ｍｏ：３．０〜４．５％、Ｎ：０．２４〜０．３２％を含有しており、スーパーオーステナイト鋼に匹敵する耐食性を有し、海水が直接かかるような場所においても使用することができる。
【００２４】
また、これらの二相ステンレス鋼は、その強度が０．２％耐力において、一般オーステナイト鋼の約２倍程度あり、極めて高強度である。また、優れた耐食性を有するため、めっき等の表面処理が不要となる。
【００２５】
以上説明したように、本考案の太陽光発電システム用架台によれば、素材自体に耐食性に優れた二相ステンレス鋼を用いているため、めっき等の表面処理が不要となり、製造工程を簡素化することができる。また、めっき等の表面処理によって耐食性を持たせている架台のうち、切断端面の鋼素地露出部においては、めっきの犠牲防食作用によって基材の腐食を防止するが、過酷な環境においては犠牲防食作用が機能せず基材が腐食してしまう恐れがある。対して、本発明に係る太陽光発電システム用架台では、素材自体が耐食性に優れているためそのようなことがなく、非常に優れた耐久性を備える。また、強度に優れるため、一般オーステナイト系のステンレス鋼を使用した場合と比較して、架台を構成する各部材の板厚を大幅に薄くすることができる。これにより、軽量化とコストダウンを図ることができ、さらに、板厚が薄く美しい優れた外観を得ることもできる。
【００２６】
また、省資源二相ステンレス鋼を素材に採用した場合、原材料費を安価にでき、よりコストダウンを図ることができる。また、汎用二相ステンレス鋼及び高耐食二相ステンレス鋼を素材に採用した場合、塩害に強く、沿岸部等の過酷な環境においても使用することができる。
【００２７】
なお、上述した本考案に係る太陽光発電システム用架台は、本考案の例示であり、考案の趣旨を逸脱しない範囲において、その構成を適宜変更することができる。例えば、太陽光発電システム用架台を構成する形鋼として、上述の溝形鋼、山形鋼に限られず、Ｈ形鋼、Ｉ形鋼、角パイプ、フラットバー等の様々な形状の鋼材を使用することができる。また、形鋼同士の接合においても、溶接、リベット、嵌合等の方法を採用することができる。
【符号の説明】
【００２８】
１・・太陽光発電システム用架台、
１０・・ベース、１１・・前支柱、１２・・後支柱、１３・・主フレーム、１４・・前横つなぎ材、１５・・後横つなぎ材、１６・・前斜材、１７・・後斜材、１８・・筋交、１９・・取付け板、
２０・・基礎、
３０・・太陽光電池パネル、
【図１】
0003192068.tif 000003